(57)【要約】【課題】医療者から見た患者の病状や特長などの情報を記録して、医療者の個人情報と共通情報とを分けて、簡単に見ることができる病床マップ表示システムを提供する。【解決手段】実施形態の病床マップ表示システムは病床マップ情報を格納するデータベースを有するホスト計算機と、医療者に携帯される各携帯端末と、各病室の入口付近に取り付けられるものであって、前記ホスト計算機と接続されると共に、前記携帯端末との間を無線通信する送受信器と、を有して構成される。そして、前記携帯端末から前記送受信器に向けて病床マップの取得要求を行うと、前記ホスト計算機が前記データベースから検索した病室毎の前記病床マップ情報を元に作成した病床マップが前記送受信器を経由して前記携帯端末に表示される。【選択図】  図１
2014186448.tif 000002
【特許請求の範囲】
【請求項１】
病床マップ情報を格納するデータベースを有するホスト計算機と、
医療者に携帯される各携帯端末と、
各病室の入口付近に取り付けられるものであって、前記ホスト計算機と接続されると共に、前記携帯端末との間を無線通信する送受信器と、
を有し、
前記携帯端末から前記送受信器に向けて病床マップの取得要求を行うと、前記ホスト計算機が前記データベースから検索した病室毎の前記病床マップ情報を元に作成した病床マップが前記送受信器を経由して前記携帯端末に表示されることを特徴とする病床マップ表示システム。
【請求項２】
共通病床マップ情報と医療者固有の病床マップ情報とを格納するデータベースを有するホスト計算機と、
医療者に携帯される各携帯端末と、
各病室の入口付近に取り付けられるものであって、前記ホスト計算機と接続されると共に、前記携帯端末との間を無線通信する送受信器と、
を有し、
前記携帯端末から前記送受信器に向けて病床マップの取得要求を行うと、前記ホスト計算機が前記データベースから検索した病室毎の前記共通病床マップ情報を元に作成した共通マップ、又は前記病室毎の前記医療者固有の病床マップ情報を元に作成したマイ・マップが前記送受信器を経由して前記携帯端末に表示されることを特徴とする病床マップ表示システム。
【請求項３】
前記病床マップは、前記病室毎のベッド配置に応じた複数の患者毎のステータスを表示すると共に、患者の重症度が識別表示されていることを特徴とする請求項１に記載の病床マップ表示システム。
【請求項４】
前記共通マップは、前記病室毎のベッド配置に応じた複数の患者毎の共通ステータスを表示し、
前記マイ・マップは、前記病室毎のベッド配置に応じた複数の患者毎の医療者固有のステータスを表示することを特徴とする請求項２に記載の病床マップ表示システム。
【請求項５】
前記共通マップおよび前記マイ・マップは、タグ選択によって切替表示ができると共に、患者の重症度が識別表示されていることを特徴とする請求項２又は請求項４に記載の病床マップ表示システム。
【請求項６】
前記医療者固有の病床マップ情報には、前記患者毎の項目別に、前記医療者によって入力されたコメント・メモを含み、
前記マイ・マップに表示される前記複数の患者の一人を選択すると、前記選択した患者の前記コメント・メモが表示されることを特徴とする請求項２又は請求項４に記載の病床マップ表示システム。
【請求項７】
前記医療者固有の病床マップ情報には、前記患者毎の項目別に、病院職員によって入力された職員コメント・メモを含み、
前記マイ・マップに表示される前記複数の患者の一人を選択すると、前記選択した患者の前記職員コメント・メモが表示されることを特徴とする請求項２又は請求項４に記載の病床マップ表示システム。
【請求項８】
前記医療者固有の病床マップ情報は、前記項目別又は前記患者別に「公開」「非公開」が設定できることを特徴とする請求項６又は請求項７に記載の病床マップ表示システム。
【請求項９】
前記医療者固有の病床マップ情報は、前記項目別又は前記患者別に退院後の「削除」「非削除」が設定できることを特徴とする請求項６又は請求項７に記載の病床マップ表示システム。
【請求項１０】
前記医療者固有の病床マップ情報には、前記患者毎の項目別に、複数の前記医療者によって入力された複数のコメント・メモを含み、
前記マイ・マップに表示される前記複数の患者の一人を選択すると、前記選択した患者の前記項目別に前記複数のコメント・メモと入力した医療者が対応表示されることを特徴とする請求項２又は請求項４に記載の病床マップ表示システム。
【請求項１１】
病床マップ情報を格納するデータベースを有するホスト計算機と接続される各病室の入口付近に取り付けられる送受信器と無線通信を行う医療者に携帯される端末であって、
前記送受信器に向けて病床マップの取得要求を行い、
前記ホスト計算機が前記データベースを検索して、病室毎の前記病床マップ情報を元に作成した病床マップを前記送受信器を経由して受信し、
前記病床マップによって前記病室毎のベッド配置に応じた複数の患者毎のステータスを表示する
ことを特徴とする病床マップ表示端末。
【請求項１２】
共通病床マップ情報と医療者固有の病床マップ情報とを格納するデータベースを有するホスト計算機と接続される各病室の入口付近に取り付けられる送受信器と無線通信を行う医療者に携帯される端末であって、
前記送受信器に向けて病床マップの取得要求を行い、
前記ホスト計算機が前記データベースを検索して、病室毎の前記共通病床マップ情報を元に作成した共通マップ、および前記病室毎の前記医療者固有の病床マップ情報を元に作成したマイ・マップを前記送受信器を経由して受信し、
前記共通マップによって前記病室毎のベッド配置に応じた複数の患者毎のステータスを表示すると共に、表示切替によって前記マイ・マップによって前記病室毎のベッド配置に応じた複数の患者毎のステータスを表示する
ことを特徴とする病床マップ表示端末。
【請求項１３】
前記医療者固有の病床マップ情報には、前記患者毎の項目別に、前記医療者によって入力されたコメント・メモを含み、
前記マイ・マップに表示される前記複数の患者の一人を選択すると、前記選択した患者の前記コメント・メモを表示することを特徴とする請求項１２に記載の病床マップ表示端末。
【請求項１４】
病床マップ情報を格納するデータベースを有するホスト計算機と、
医療者に携帯される各携帯端末と、
各病室の入口付近に取り付けられるものであって、前記ホスト計算機と接続されると共に、前記携帯端末との間を無線通信する送受信器と、
を有し、
前記携帯端末から前記送受信器に向けて病床マップの取得要求を行い、
前記ホスト計算機が前記データベースを検索して、病室毎の前記病床マップ情報を元に病床マップを作成し、
前記病床マップを前記送受信器を経由して前記携帯端末に表示する
ことを特徴とする病床マップ表示方法。
【請求項１５】
共通病床マップ情報と医療者固有の病床マップ情報とを格納するデータベースを有するホスト計算機と、
医療者に携帯される各携帯端末と、
各病室の入口付近に取り付けられるものであって、前記ホスト計算機と接続されると共に、前記携帯端末との間を無線通信する送受信器と、
を有し、
前記携帯端末から前記送受信器に向けて病床マップの取得要求を行い、
前記ホスト計算機が前記データベースを検索して、病室毎の前記共通病床マップ情報を元に作成した共通マップ、および前記病室毎の前記医療者固有の病床マップ情報を元に作成したマイ・マップを前記送受信器を経由して受信し、
前記共通マップによって前記病室毎のベッド配置に応じた複数の患者毎のステータスを表示すると共に、表示切替によって前記マイ・マップによって前記病室毎のベッド配置に応じた複数の患者毎のステータスを表示する
特徴とする病床マップ表示方法。
【請求項１６】
前記医療者固有の病床マップ情報には、前記患者毎の項目別に、前記医療者によって入力されたコメント・メモを含み、
前記マイ・マップに表示される前記複数の患者の一人を選択すると、前記選択した患者の前記コメント・メモを表示することを特徴とする請求項１５に記載の病床マップ表示方法。
【発明の詳細な説明】
【技術分野】
【０００１】
本発明は、病床マップ表示システム、病床マップ表示端末、および病床マップ表示方法に関する。
【背景技術】
【０００２】
病院情報システムにおいて、患者の状態を一覧する機能として、患者一覧，病床マップなどの機能が存在している。
【０００３】
これらの機能によって表示される患者の状態は、院内で定められた項目であり、法律や院内で定めたルールなどのエビデンスに基づいて判断された内容である。つまり、医療者個人と患者個人の間で発生する関係性において誘発される患者状態は、全く考慮されていない。例えば、注射の難易度、服薬のしやすさ、患者の意欲や機嫌などは、同一患者であっても対応する看護師によって感じ方が異なっている。特に、相互の意思疎通が困難な患者、或いは論理的認識の困難な年齢や病状にある患者にあっては、この違いが顕著であり、適切に対応しなければ医療効果の低下やトラブルに発生する場合がある。
【０００４】
一方で、従来の病院情報システムでは、患者一覧，病床マップなどはナースステーションに設置されている医療者用のコンピュータ端末で見る形態であった。
【先行技術文献】
【特許文献】
【０００５】
【特許文献１】特開２００６−１５５０７２号公報
【特許文献２】特開２００４−２３６８０５号公報
【発明の概要】
【発明が解決しようとする課題】
【０００６】
例えば、出願人が過去に提案した特許文献１では、その図１５に示すように、注射に関する共通コメントの入力画面を用いて、施行者に対する指示がコメントとして入力できるものを提案した。また、特許文献２では、携帯用の画像表示端末にカルテとは別な画像を表示することや、医師による回診時に所見を携帯端末から登録することが提案されている。
【０００７】
しかしながら、従来の病院情報システムでは、看護師などの医療者の日々の看護業務で感じた患者の病状や特長などの情報をメモとして残すことができていない。したがって、患者に対してきめ細かな対応ができないものであった。
【０００８】
そこで、本発明が解決しようとする課題は、医療者から見た患者の病状や特長などの情報を記録して、医療者の個人情報と共通情報とを分けて、簡単に見ることができる病床マップ表示システム、病床マップ表示端末、および病床マップ表示方法を提供することを目的とする。
【課題を解決するための手段】
【０００９】
本発明の実施形態に係る病床マップ表示システムは、病床マップ情報を格納するデータベースを有するホスト計算機と、医療者に携帯される各携帯端末と、各病室の入口付近に取り付けられるものであって、前記ホスト計算機と接続されると共に、前記携帯端末との間を無線通信する送受信器と、を有し、前記携帯端末から前記送受信器に向けて病床マップの取得要求を行うと、前記ホスト計算機が前記データベースから検索した病室毎の前記病床マップ情報を元に作成した病床マップが前記送受信器を経由して前記携帯端末に表示されることを特徴とする。
【００１０】
また、本発明の実施形態に係る病床マップ表示システムは、共通病床マップ情報と医療者固有の病床マップ情報とを格納するデータベースを有するホスト計算機と、医療者に携帯される各携帯端末と、各病室の入口付近に取り付けられるものであって、前記ホスト計算機と接続されると共に、前記携帯端末との間を無線通信する送受信器と、を有し、前記携帯端末から前記送受信器に向けて病床マップの取得要求を行うと、前記ホスト計算機が前記データベースから検索した病室毎の前記共通病床マップ情報を元に作成した共通マップ、又は前記病室毎の前記医療者固有の病床マップ情報を元に作成したマイ・マップが前記送受信器を経由して前記携帯端末に表示されることを特徴とする病床マップ表示システム。
【００１１】
本発明の実施形態に係る病床マップ表示端末は、病床マップ情報を格納するデータベースを有するホスト計算機と接続される各病室の入口付近に取り付けられる送受信器と無線通信を行う医療者に携帯される端末であって、前記送受信器に向けて病床マップの取得要求を行い、前記ホスト計算機が前記データベースを検索して、病室毎の前記病床マップ情報を元に作成した病床マップを前記送受信器を経由して受信し、前記病床マップによって前記病室毎のベッド配置に応じた複数の患者毎のステータスを表示することを特徴とする。
【００１２】
また、本発明の実施形態に係る病床マップ表示端末は、共通病床マップ情報と医療者固有の病床マップ情報とを格納するデータベースを有するホスト計算機と接続される各病室の入口付近に取り付けられる送受信器と無線通信を行う医療者に携帯される端末であって、前記送受信器に向けて病床マップの取得要求を行い、前記ホスト計算機が前記データベースを検索して、病室毎の前記共通病床マップ情報を元に作成した共通マップ、および前記病室毎の前記医療者固有の病床マップ情報を元に作成したマイ・マップを前記送受信器を経由して受信し、前記共通マップによって前記病室毎のベッド配置に応じた複数の患者毎のステータスを表示すると共に、表示切替によって前記マイ・マップによって前記病室毎のベッド配置に応じた複数の患者毎のステータスを表示することを特徴とする。
【００１３】
本発明の実施形態に係る病床マップ表示方法は、病床マップ情報を格納するデータベースを有するホスト計算機と、医療者に携帯される各携帯端末と、各病室の入口付近に取り付けられるものであって、前記ホスト計算機と接続されると共に、前記携帯端末との間を無線通信する送受信器と、を有し、前記携帯端末から前記送受信器に向けて病床マップの取得要求を行い、前記ホスト計算機が前記データベースを検索して、病室毎の前記病床マップ情報を元に病床マップを作成し、前記病床マップを前記送受信器を経由して前記携帯端末に表示することを特徴とする。
【００１４】
また、本発明の実施形態に係る病床マップ表示方法は、共通病床マップ情報と医療者固有の病床マップ情報とを格納するデータベースを有するホスト計算機と、医療者に携帯される各携帯端末と、各病室の入口付近に取り付けられるものであって、前記ホスト計算機と接続されると共に、前記携帯端末との間を無線通信する送受信器と、を有し、前記携帯端末から前記送受信器に向けて病床マップの取得要求を行い、前記ホスト計算機が前記データベースを検索して、病室毎の前記共通病床マップ情報を元に作成した共通マップ、および前記病室毎の前記医療者固有の病床マップ情報を元に作成したマイ・マップを前記送受信器を経由して受信し、前記共通マップによって前記病室毎のベッド配置に応じた複数の患者毎のステータスを表示すると共に、表示切替によって前記マイ・マップによって前記病室毎のベッド配置に応じた複数の患者毎のステータスを表示することを特徴とする。
【発明の効果】
【００１５】
患者に関する多岐な情報が管理でき、医療の質向上に繋がる。対応する医療者と患者の関係において成り立つ患者状態を素早く参照できその上で患者対応を行えるため、より細かな患者サービスに繋げることができる。
【図面の簡単な説明】
【００１６】
【図１】第１実施形態に係る病床マップ表示システムの構成を示すブロック図。
【図２】医療者の携帯端末と病室入口での無線通信を示す図。
【図３】病床マップＤＢに格納される共通マップ情報を示す図。
【図４】病床マップＤＢに格納される医療者のマイ・マップ情報を示す図。
【図５】第１実施形態の病床マップ表示システムの動作を示す図。
【図６】医療者の携帯端末に表示される共通マップの表示例を示す図。
【図７】医療者の携帯端末に表示される医療者のマイ・マップの表示例を示す図。
【図８】医療者の携帯端末に表示されるマイ・マップから特定患者固有のコメント・メモを参照する表示例を示す図。
【図９】医療者の携帯端末に表示されるコメント・メモを更新する文字入力を示す図。
【図１０】第２実施形態に係る病床マップ表示システムの構成を示すブロック図。
【図１１】第２実施形態の病床マップ表示システムの動作を示す図。
【図１２】第３実施形態の病院職員による個人用の患者ステータスの登録画面を示す図。
【図１３】第４実施形態の他の医療者（又は病院職員）が登録した患者ステータスを参照する場合の表示例を示す図。
【図１４】第５実施形態の共通マップおよびマイ・マップの他の表示例を示す図。
【発明を実施するための形態】
【００１７】
以下、図面を参照しながら本発明の実施形態を説明する。
【００１８】
（第１実施形態）
図１は、本発明の第１実施形態に係る病床マップ表示システムの構成を示すブロック図である。
【００１９】
図１において、携帯端末１０は、病院内で従事する看護師などの医療者が携帯する端末である。携帯端末１０ａ，１０ｂ，‥は、スマートフォンや携帯電話機などを用いて構成することができる。即ち、携帯端末１０ａ，１０ｂ，‥は、スマートフォンのように携帯性が良く、指先で画面を操作することで、簡単に情報閲覧が可能な端末が望ましい。ホスト計算機２０は、病院情報システムの中枢となる計算機であり、通信部２１０、電子カルテデータベース（以下、ＤＢと称する）２２０や病床マップＤＢ２３０等のデータ格納装置を有している。ホスト計算機２０の本実施形態に係る機能部として、病床マップ検索・表示部２４０、病床マップ作成・更新部２５０、マイ・マップ検索・表示部２６０、マイ・マップ作成・更新部２７０などを有している。
【００２０】
送受信器３０ａ，３０ｂ，３０ｃ，３０ｄ、‥は、ホスト計算機２０の通信部２１０と携帯端末１０ａ，１０ｂ，‥との間の指令およびデータの送受信を無線通信によって行うものである。各送受信器３０ａ，３０ｂ，３０ｃ，３０ｄ、‥は、各病室の入口などの必要箇所に取り付けられている。ホスト計算機２０の通信部２１０と送受信器３０ａ，３０ｂ，３０ｃ，３０ｄ、‥との間は、無線通信又は有線通信によって接続されている。この他、ホスト計算機２０には、病院内の医療者によって操作される多数のＰＣ、所定数のプリンタなどが接続されるが、煩雑のため図１では省略している。なお、ホスト計算機２０は、電子カルテＤＢ２２０から電子カルテを読み出し、携帯端末１０ａ，１０ｂ，‥などに表示することが可能であるが、電子カルテの係る内容は本実施形態と直接関係しないので、その説明は省略する。
【００２１】
図２は、携帯端末１０ａ，１０ｂ，‥と送受信器３０ａ，３０ｂ，３０ｃ，３０ｄ，‥との間の無線通信を示す図である。ここでは、一例として６０２号の病室の入口付近の上部壁（又は側壁）に設けられた送受信器３０ｇと、病院内の医師や看護師（以下、医療者と称する）１００が携帯する携帯端末１０ｄとの交信を示している。医療者１００は、６０２号室に入室する前に、携帯端末１０ｄの病床マップを取得する為のアイコンボタン（図示せず）を押すと、送受信器３０ｇを経由して、ホスト計算機２０から後述する病床マップを取得することができる。即ち、医療者１００は、病室内の患者の症状などを忘れた場合でもナースステーションに立ち戻り、ナースステーションの端末装置（図示ぜす）から症状を確認することなく、例えば６０２号室の入室前に、携帯端末１０ｄに表示される病床マップを見ることで、事前に６０２号室のベッドの配置に応じた入院患者の症状・状況を把握することができる。
【００２２】
ここでは、携帯端末１０ｄと送受信器３０ｇとの間の交信で、事前に登録している６０２号室の病床マップを読み出すとしたが、各病室の入口に例えば二次元バーコードなどを貼り付け、それを携帯端末１０ｄで読み取って、当該病室の病床マップを読み出す要求を行う方式であっても良い。また、携帯端末１０ｄから、病室番号を入力して、当該病室の病床マップを読み出す要求を行う方式であっても良い。
【００２３】
図３は、病床マップＤＢ２３０に格納されている共通の病床マップ（以下、共通マップと称する）情報の一例を示す図である。
【００２４】
共通マップ情報には、「病室」「床」「治療科」「患者番号」「患者名」「ステータス」「重症度」‥などから構成されている。ここでは、同じ病室（６０２号室）内の患者を纏めて示したが、これらは病床マップＤＢ２３０内にランダムに格納されていても構わない。ホスト計算機２０の病床マップ検索・表示部２４０は、例えば携帯端末３０ｄからの病床マップ要求に基づき、病床マップＤＢ２３０を検索して、例えば６０２号室の患者一覧を示す患者マップを作成して、携帯端末１０ｇに病床マップとして表示する。
【００２５】
共通マップ情報の「ステータス」は、各入院患者の対応・状況を英数字や記号・符号などによって現したものである。この「ステータス」は、病棟内の責任者によって承認され、同じ病棟内で従事する全ての医療者に認識される共通の患者情報である。「ステータス」は、各入院患者の「安静」「移動」「注射」「点滴」「内服」「リハビリ」「食事」「パス」などの対応・状況を英数字や記号・符号等によって現しており、事前の学習によって全ての医療者が一見して理解するものである。病床マップＤＢ２３０への共通マップ情報の登録並びに更新動作は、ホスト計算機２０の病床マップ作成・更新部２５０によって実行される。その共通マップ情報の登録並びに更新作業は、ホスト計算機２０の例えばマスター管理者の端末装置（図示せず）から入力される。
【００２６】
図４は、病床マップＤＢ２３０に格納されている医療者固有の病床マップ（以下、マイ・マップと称する）情報の一例を示す図である。入院患者と日々接する医療者は、患者の状況変化を常に観察している。ゆえに、医療者は、担当する入院患者について、共通マップとして提供される情報とは違う視点（更に、きめの細かい判断や今現在の状況からの判断）の情報を持つことがある。それらの情報をマイ・マップとして見ることができれば、入院患者に対して更に親切な応対や処置を援助することが可能になる。そこで、本実施形態では、共通マップ情報とは別にマイ・マップ情報を記録して参照できる仕組みを提供する。
【００２７】
図４に示すマイ・マップ情報は、共通マップ情報と同様に「病室」「床」「治療科」「患者番号」「患者名」「ステータス」「重症度」‥などから構成されている。ここでは、同じ病室（６０２号室）内の患者を纏めて示したが、これらは病床マップＤＢ２３０内にランダムに格納されていても構わない。ホスト計算機２０のマイ・マップ検索・表示部２６０は、例えば携帯端末３０ｄからのマイ・マップ要求に基づき、病床マップＤＢ２３０を検索して、例えば６０２号室の患者一覧を示すマイ・マップを作成して、携帯端末１０ｇにマイ・マップとして表示する。
【００２８】
マイ・マップ情報の「ステータス」は、各入院患者の対応・状況を英数字や記号・符号等によって現したものである。例えば、入院患者の「安静」「移動」「注射」「点滴」「内服」「リハビリ」「食事」「パス」等の対応・状況を英数字や記号・符号等によって現しており、その意味は共通マップ情報の「ステータス」と共通である。
【００２９】
更に、マイ・マップ情報には、各入院患者の各項目毎に、コメント・メモが記録できるようになっている。即ち、医療者は、例えば午前中の巡回中にて感じたことをコメント・メモとして記録することで、当日の午後の作業や翌日の作業に反映することができ、入院患者に対して親切な応対や処置を援助することが可能になる。なお、コメント・メモの記録は、図４に示した項目に限定されず、当該医療者が必要と判断した項目を追加して、自分用の項目を作っても構わない。
【００３０】
更に、マイ・マップ情報には、各入院患者の各項目毎に、公開／非公開を設定することができる。各入院患者は複数の医療者によって、午前と午後と深夜とを交替で面倒を見てもらっている。一人の医療者が感じたことを同じチームの医療者とシェアすることができれば、引き継ぎなどがスムーズに行える。しかし、マイ・マップはあくまで個人の見識として記録されるものであるので、同じチームの医療者に対する絶対的な情報ではない。そこで、マイ・マップ情報中で同じチームの医療者にも公開して良いものと思う項目については「公開」を設定し、そうでないものは「非公開」を設定することで、伝達したい情報のみをシェアすることができるようしている。ここでは、各項目単位に「公開」「非公開」を設定するとしたが、これに限定されず患者単位に「公開」「非公開」を設定するようにしても良い。
【００３１】
更に、マイ・マップ情報には、各入院患者の各項目毎に、退院時の削除／非削除を設定することができる。入院患者が退院後に再入院することはままある。その場合、前回の入院時の情報を再利用可能にすることで、再入院患者が安心して再入院することができる。一方、医療者側も、前回入院時の情報を再利用することで、前回と同様の内容を取り敢えず応対することができる。そこで、マイ・マップ情報の項目中で退院時に削除しても良い項目には「削除」を設定し、再利用可能に残すと判断するものは「非削除」を設定する。ここでは、各項目単位に「削除」「非削除」を設定するとしたが、これに限定されず患者単位に「削除」「非削除」を設定するようにしても良い。
【００３２】
病床マップＤＢ２３０への上述したマイ・マップ情報の登録並びに更新動作は、ホスト計算機２０のマイ・マップ作成・更新部２７０によって実行される。そのマイ・マップ情報の登録並びに更新作業は、各医療者が携帯する携帯端末１０ａ，１０ｂ，‥から入力できる。
【００３３】
次に、第１実施形態の動作を説明する。
【００３４】
図５は、第１実施形態における、携帯端末１０ｄと送受信器３０ｇとホスト計算機２０の動作の流れを示している。先ず、共通マップの表示動作について説明する。
【００３５】
図６は、携帯端末１０ｄに共通マップを表示した表示例を示す図である。図２で説明したように、例えば医療者１００が６０２号室に入室する前に、携帯端末１０ｄの病床マップを取得する為のアイコンボタンを押して、病床マップ（この場合、最初の表示は共通マップとする）の取得要求を送受信器３０ｇに向けて発信する（図５のＳ１００）。送受信器３０ｇは、病室番号（例えば６０２号室）を付加した病床マップ取得要求をホスト計算機２０に送信する（図５のＳ１１０）。
【００３６】
ホスト計算機２０の病床マップ検索・表示部２４０は、上記取得要求を受信すると病床マップＤＢ２３０を検索する（図５のＳ１２０）。病床マップ検索・表示部２４０は、その検索結果に基づいて、６０２号室の入院患者の一覧表から共通マップを作成して（図５のＳ１３０）、送受信器３０ｇを経由して携帯端末１０ｄに送信する。その結果、携帯端末１０ｄの画面には、その共通マップが図６のように表示される（図５のＳ１４０）。
【００３７】
図６の表示例では、図３に示した共通マップ情報の患者一覧から６０２号室の「床」情報に基づくベッド配置に従って、４名の入院患者の「ステータス」がそれぞれ最上部に表示されている。各「ステータス」の下には、各患者番号、各患者名、ふりがな、治療科等が表示されている。
【００３８】
また、図６の表示例で、共通マップの患者「加藤Ａ子」に表示される記号☆は、医療者１００（自身）を含む複数の医療者のマイ・マップ情報が存在することを示している。また、患者「佐藤Ｂ子」、「井上Ｃ子」に表示される記号△は、医療者１００のみのマイ・マップ情報が存在することを示している。また、患者「山田Ｄ子」に表示される記号▽は、医療者１００以外の医療者のマイ・マップ情報が存在することを示している。
【００３９】
また、図６の表示例で、患者「佐藤Ｂ子」と「山田Ｄ子」が網掛け表示としている。これは、共通マップ情報中の「重症度」を網掛け表示によって識別可能としたものである。つまり、患者「佐藤Ｂ子」と「山田Ｄ子」が重症患者であることが一目で分かるようになっている。ここでは、網掛け表示としたが、これに限らず、カラー表示や特定記号などによって識別可能としても良い。例えば、赤色を重度の重症、白を軽症とした場合、その中間の重症度を段階的な中間色（濃いピンク色、薄いピンク色）で表現すると良い。
【００４０】
図６の表示状態で、携帯端末１０ｄの「マイ・マップ」のタグ１０１をタッチすると、「マイ・マップ」に表示が切り替わる。ここでは、「マイ・マップ」のタグ１０１をタッチすることで表示切替を行うとしたが、他のジェスチャーの操作で表示切替を行うようにしても良い。
【００４１】
図７は、携帯端末１０ｄにマイ・マップを表示した表示例を示す図である。携帯端末１０ｄの「マイ・マップ」のタグ１０１をタッチすると、マイ・マップの取得要求が送受信器３０ｇに向けて発信する（図５のＳ２００）。送受信器３０ｇでは、病室番号（例えば６０２号室）を付加したマイ・マップ取得要求をホスト計算機２０に送信する（図５のＳ２１０）。
【００４２】
ホスト計算機２０のマイ・マップ検索・表示部２６０は、上記取得要求を受信すると病床マップＤＢ２３０を検索する（図５のＳ２２０）。マイ・マップ検索・表示部２６０は、その検索結果に基づいて、６０２号室の入院患者の一覧表からマイ・マップを作成して（図５のＳ２３０）、送受信器３０ｇを経由して携帯端末１０ｄに送信する。その結果、携帯端末１０ｄの画面には、そのマイ・マップが図７のように表示される（図５のＳ２４０）。
【００４３】
図７の表示例では、図４に示したマイ・マップ情報の患者一覧から６０２号室の「床」情報に基づくベッド配置に従って、自分が記録した４名の入院患者の「ステータス」がそれぞれ最上部に表示されている。各「ステータス」の下には、同様に各患者番号、各患者名、ふりがな、治療科等が表示されている。
【００４４】
また、図７の表示例で、各患者毎の記号☆、△、▽の意味は、図６と同じである。また、図７の患者の網掛け表示の意味（但し、判断は医療者１００のもの）も図６と同じである。
【００４５】
図７の表示状態で、例えば患者「加藤Ａ子」の表示画面上をタッチすると、医療者１００が記録したコメント・メモを見ることができる。コメント・メモは自身が日々の看護中に感じた見識を記録するものであるから、これにより、担当する入院患者に対し、より細やかな看護が可能となる。
【００４６】
図８は、患者「加藤Ａ子」に記録したコメント・メモの表示例を示す図である。即ち、携帯端末１０ｄの患者「加藤Ａ子」の表示画面上をタッチすると、送受信器３０ｇを経由して、ホスト計算機２０に患者「加藤Ａ子」のマイ・マップ情報のコメント・メモの取得要求が送信される（図５のＳ３００）。
【００４７】
ホスト計算機２０のマイ・マップ検索・表示部２６０は、上記取得要求を受信すると病床マップＤＢ２３０を検索して、患者「加藤Ａ子」のマイ・マップ情報からコメント・メモ情報を読み出して（図５のＳ３１０）、送受信器３０ｇを経由して携帯端末１０ｄに送信する。その結果、携帯端末１０ｄの画面には、自身が記録した患者「加藤Ａ子」のコメント・メモが図８の右側のように表示される（図５のＳ３２０）。
【００４８】
ここで、患者「加藤Ａ子」のコメント・メモを追加又は修正したい場合、図８の右側の表示状態で、携帯端末１０ｄの当該追加又は修正したい領域１０５をダブルクリックする。すると、図９に示すような入力モードに切り替り、指定した領域１０５に追加又は修正の文字を入力して確定１０７をタッチすると、送受信器３０ｇを経由して、ホスト計算機２０に送信される。ホスト計算機２０のマイ・マップ作成・更新部２７０は、その情報を受けて、病床マップＤＢ２３０のマイ・マップ情報を更新する。即ち、マイ・マップ作成・更新部２７０は、病床マップＤＢ２３０の図４に示したマイ・マップ情報に追加又は修正内容を登録する。
【００４９】
（第２実施形態）
図１０は、本発明の第２実施形態に係る病床マップ表示システムの構成を示すブロック図である。
【００５０】
第２実施形態では、ホスト計算機２０の本実施形態に係る機能部を、病床マップ／マイ・マップ検索・表示部２８０と、病床マップ／マイ・マップ作成・更新部２９０とによって構成するものである。即ち、病床マップ／マイ・マップ検索・表示部２８０は、図１の病床マップ検索・表示部２４０とマイ・マップ検索・表示部２６０の機能を１つの機能ブロックとして構成したものである。また、病床マップ／マイ・マップ作成・更新部２９０は、図１の病床マップ作成・更新部２５０とマイ・マップ作成・更新部２７０の機能を１つの機能ブロックとして構成したものである。
【００５１】
図１１は、第２実施形態における、携帯端末１０ｄと送受信器３０ｇとホスト計算機２０の動作の流れを示している。
【００５２】
第１実施形態と同様に、例えば医療者１００が６０２号室に入室する前に、携帯端末１０ｄの病床マップを取得する為のアイコンボタンを押して、病床マップの取得要求を送受信器３０ｇに向けて発信する（図１１のＳ４００）。送受信器３０ｇは、病室番号（例えば６０２号室）を付加した病床マップ／マイ・マップの取得要求をホスト計算機２０に送信する（図１１のＳ４１０）。
【００５３】
ホスト計算機２０の病床マップ／マイ・マップ検索・表示部２８０は、上記取得要求を受信すると病床マップＤＢ２３０の共通マップ情報およびマイ・マップ情報を検索する（図１１のＳ４２０）。病床マップ／マイ・マップ検索・表示部２８０は、その検索結果に基づいて、６０２号室の入院患者の一覧表から共通マップおよびマイ・マップを作成して（図１１のＳ４３０）、送受信器３０ｇを経由して携帯端末１０ｄに送信する。その結果、携帯端末１０ｄの画面には、その共通マップが図６のように表示される（図１１のＳ４４０）。また、マイ・マップのタグ１０１をタッチして表示切替を行うと、マイ・マップが図７のように表示される（図１１のＳ４５０）。なお、病床マップ／マイ・マップ作成・更新部２９０の動作は、病床マップ作成・更新部２５０およびマイ・マップ作成・更新部２７０の動作と同じなので、その説明は省略する。
【００５４】
（第３実施形態）
図１２は、病院職員による個人用の患者ステータスの登録画面を示す図である。看護師のみならず、病院職員（例えば、受付クラーク担当者）が各患者の受付内容を同様に病状マップＤＢ２３０に記録できるようにする。図１２では、「救急加算」「紹介状」「返書」「栄養指導」「ソーシャル」「ケアマネ」などの各項目について、受付クラーク担当者によって各患者毎に記録できるようになっている。各項目に対するコメント・メモの記録、「公開」「非公開」の設定、退院時の「削除」「非削除」の設定については、第１実施形態と同様に可能である。病院職員による個人用の患者ステータスは、第１又は第２実施形態と同様の操作で見ることができるし、直接受付クラーク担当者の携帯端末１０ｃｋから直接読み出すようにしても構わない。
【００５５】
このように、病院職員の業務でも、電子カルテ上に記載することが不適切な内容であっても、個人用の患者ステータスとして登録することにより、例えば各患者の受付時の内容を忘れることなく、把握することが可能となる。
【００５６】
（第４実施形態）
図１３は、他の医療者（又は病院職員）が登録した患者ステータスを参照する場合の表示例を示している。
【００５７】
図１３では、複数の医療者によってそれぞれ登録した患者ステータス（内容と、コメント・メモ）を同時に閲覧できるようにするために、１つの項目に複数のステータスが記録されていれば、入力者別に表示すると共に、そのステータスを入力した入力者を表示する。このような表示を行うことで、医療者は自分の登録した患者状態と他の医療者が登録した患者状態を比較することができ、自己の技術の参考にすることができる。また、同じ患者を担当する複数の医療者の間で、患者の病状や特長などの認識に差がなくなり、患者応対を同じレベルで行うことができる。
【００５８】
（第５実施形態）
図１４は、共通マップおよびマイ・マップの他の表示例を示している。
【００５９】
図６および図７で示した、共通マップおよびマイ・マップでは、各患者のベッド配置のままにステータス情報を表示するとしたが、これに限定されず、図１４の表示形式であっても良い。
【００６０】
図１４（ａ）は、共通マップの表示例を示すもので、図３に示した共通マップ情報および図４に示したマイ・マップ情報をそのままリスト状に表示している。図１４（ｂ）は、マイ・マップの表示例を示すもので、リストの右側に選択した患者「佐藤Ｂ子」の各項目の内容とコメント・メモを表示するものである。このような表示とすることで、各患者のステータスと特定患者の各項目の内容とコメント・メモを同時に見ることができる。なお、画面上に全ての情報が表示できない場合、シフトジェスチャーによりスクロール表示すれば良い。
【００６１】
このように、上述した実施形態の病床マップ表示システム、病床マップ表示携帯端末、および病床マップ表示方法によれば、以下の効果を得ることができる。
【００６２】
（１）ナースステーションの端末装置をいちいち見ることなく、病室に入室前に、携帯端末に表示される病床マップを見ることで、事前に病室内のベッド配置に応じた入院患者毎の状況「ステータス」を把握することができる。携帯端末にはスマートフォンなどを使用しているので、操作性が良く、医療者の作業効率も良くなる。また、患者に関する多岐な情報が管理でき、医療の質向上に繋がる。対応する医療者と患者の関係において成り立つ患者状態を素早く参照でき、その上で患者対応を行えるため、より細かな患者サービスに繋げることができる。
【００６３】
（２）病床マップには、患者の重症度が識別表示されているので、画面を一目するだけで、どの患者が重症であるかを把握することができる。
【００６４】
（３）院内で共通に作成される共通マップ情報（病床マップ）とは別に、医療者自身のマイ・マップ情報を病床マップＤＢに記録して、マイ・マップとして参照することができるので、日々の看護で感じたことを常に確認しながら入院患者に接することができ、更に親切な応対や処置を援助することが可能となる。
【００６５】
（４）マイ・マップの表示画面から簡単な入力操作で、自分が記録した各患者毎の見識に関するコメント・メモを見ることができるので、担当する入院患者に対しより細やかな看護が可能となる。
【００６６】
（５）マイ・マップ情報の各項目（又は患者単位に）対し、同じグループの医療者に公開するか否かを設定できることができ、伝達したい情報のみをシェアすることができる。その結果、同じグループの医療者は、グループ内の他の医療者のマイ・マップ情報を参照することができるので、入院患者に対しより細やかな看護が可能となるばかりか、医療者間で差の少ない応対が可能となる。また、医療者は自分の登録した患者状態と他の医療者が登録した患者状態を比較することができ、自己の技術の参考にすることができる。
【００６７】
（６）マイ・マップ情報には、各項目（又は患者単位）に、退院時の削除／非削除を設定することができるので、前回の入院時の情報を再利用可能となり、再入院患者に対し余計な不安を与えなくすることができる。また、医療者側も、前回入院時の情報を再利用することで、前回と同様の看護内容を認識することができる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更、組み合わせを行うことができる。これら実施形態やその変形は、発明の範囲や要旨に含まれるとともに、特許請求の範囲に記載された発明とその均等の範囲に含まれる。
【符号の説明】
【００６９】
１０ａ，１０ｂ，１０ｄ‥  携帯端末
２０  ホスト計算機
２１０  通信部
２２０  電子カルテＤＢ
２３０  病床マップＤＢ
２４０  病床マップ検索・表示部
２５０  病床マップ作成・更新部
２６０  マイ・マップ検索・表示部
２７０  マイ・マップ検索・更新部
２８０  病床マップ／マイ・マップ検索・表示部
２９０  病床マップ／マイ・マップ作成・更新部
３０ａ，３０ｂ，３０ｃ，３０ｄ，３０ｇ‥  送受信器
【図１】
2014186448.tif 000003
【図２】
2014186448.tif 000004
【図３】
2014186448.tif 000005
【図４】
2014186448.tif 000006
【図５】
2014186448.tif 000007
【図６】
2014186448.tif 000008
【図７】
2014186448.tif 000009
【図８】
2014186448.tif 000010
【図９】
2014186448.tif 000011
【図１０】
2014186448.tif 000012
【図１１】
2014186448.tif 000013
【図１２】
2014186448.tif 000014
【図１３】
2014186448.tif 000015
【図１４】
2014186448.tif 000016